(57)【要約】【課題】液晶表示装置等の回転部材の不要な傾斜角における回転移動を素早く移動することができ、また、摩擦トルク手段の耐久性を向上することができるチルトヒンジを提供する。【解決手段】液晶モニタ等の回転部材に取り付けられる支持部材と、該支持部材に回転自在に軸着されると共にＯＡ機器等の装置本体に取り付けられる第１回転軸と、該第１回転軸に固定されると共に所定の回転角に歯を設けた第１歯車と、上記支持部材に回転自在に且つ上記第１回転軸と平行に軸着される第２回転軸と、該第２回転軸に固着されて上記第１歯車の歯と噛み合う第２歯車と、上記第２回転軸に摩擦トルクを与える手段から成る。【選択図】        図２
2005273739.tif 000002
【特許請求の範囲】
【請求項１】
液晶モニタ等の回転部材に取り付けられる支持部材と、該支持部材に回転自在に軸着されると共にＯＡ機器等の装置本体に取り付けられる第１回転軸と、該第１回転軸に固定されると共に所定の回転角に歯を設けた第１歯車と、上記支持部材に回転自在に且つ上記第１回転軸と平行に軸着される第２回転軸と、該第２回転軸に固着されて上記第１歯車の歯と噛み合う第２歯車と、上記第２回転軸に摩擦トルクを与える手段から成ることを特徴とするチルトヒンジ。
【請求項２】
上記第２回転軸に挿設されて上記装置本体に対して上記支持部材を一方に回転せしめるように付勢するトーションスプリングを設けたことを特徴とする請求項１に記載のチルトヒンジ。
【請求項３】
上記摩擦トルク手段が、皿バネから成ることを特徴とする請求項１または２に記載のチルトヒンジ。
【発明の詳細な説明】
【技術分野】
【０００１】
本発明はチルトヒンジに関するものである。
【背景技術】
【０００２】
従来のチルトヒンジとして、例えば、特開２００１−３２８２３号公報（特許文献１）に開示されているように、ノートパソコン等の機器本体に固定された取付部材と、該取付部材に回転自在に取り付けられると共に、液晶表示装置等の回転部材を固定する回転軸と、該回転軸に挿設された複数枚の皿バネと、これら皿バネを相互に圧接せしめて摩擦トルクを発生せしめる圧接手段から構成されるものがあった。上記皿バネに代えて複数枚の回転軸に摩擦板を挿設し、これらの摩擦板をスプリングワッシャやコイルバネ等により相互に圧接して摩擦トルクを発生せしめるものもある。（例えば、特開２００２−２６６８４１号公報：特許文献２）
【０００３】
しかし、これら従来のチルトヒンジは、回転軸の全回転角に亘って摩擦トルクが働いてしまうため、液晶表示装置等の不要な傾斜角においても無駄に摩擦が働いてしまうだけでなく、このような途中の無駄な摩擦により皿バネや摩擦板等の摩擦トルク手段の寿命を短くする等の問題点があった。
【特許文献１】特開２００１−３２８２３号公報
【特許文献２】特開２００２−２６６８４１号公報
【発明の開示】
【発明が解決しようとする課題】
【０００４】
本発明の解決しようとする課題は、液晶表示装置等の回転部材の不要な傾斜角における回転移動を素早く移動することができ、また、摩擦トルク手段の耐久性を向上することができるチルトヒンジを提供することにある。
【課題を解決するための手段】
【０００５】
本発明のチルトヒンジは、液晶モニタ等の回転部材に取り付けられる支持部材と、該支持部材に回転自在に軸着されると共にＯＡ機器等の装置本体に取り付けられる第１回転軸と、該第１回転軸に固定されると共に所定の回転角に歯を設けた第１歯車と、上記支持部材に回転自在に且つ上記第１回転軸と平行に軸着される第２回転軸と、該第２回転軸に固着されて上記第１歯車の歯と噛み合う第２歯車と、上記第２回転軸に摩擦トルクを与える手段から成ることを特徴とする。また、上記第２回転軸に挿設されて上記装置本体に対して上記支持部材を一方に回転せしめるように付勢するトーションスプリングを設けたことを特徴とする。さらに、上記摩擦トルク手段が、皿バネから成ることを特徴とする。
【発明の効果】
【０００６】
本発明のチルトヒンジは、液晶表示装置等の回転部材の不要な傾斜角における回転移動を素早く移動することができ、また、摩擦トルク手段の耐久性を向上することができる。
【発明を実施するための最良の形態】
【０００７】
図１は、本発明のチルトヒンジを有する液晶表示装置を示す図であって、Ｍは液晶モニタ、Ｈはチルトヒンジ、Ｓは装置本体（図示せず）への取付部材である。
【０００８】
図２に示すように、上記チルトヒンジＨは、支持部材１と、第１回転２と、トーションスプリング３と、第１歯車４と、第２歯車５と、第２回転軸６と、摩擦ディスク７から構成される。
【０００９】
上記支持部材１は、液晶モニタＭ等の回転部材に取り付けられる取付板１ａと、これからほぼ直角に立ち上がる支持板１ｂから成る。
【００１０】
上記第１回転軸２は、上記支持部材１の支持板１ｂに回転自在に軸着されると共に、上記取付部材Ｓに固着される。従って、該第１回転軸２は取付部材Ｓと共に回転する。
【００１１】
上記トーションスプリング３は、上記支持部材１と取付部材Ｓの間の第１回転２に取り付けられ、該取付部材Ｓを、第２図（Ａ）において、矢印Ｘ方向に回転するように付勢する。
【００１２】
上記第１歯車４は、上記第１回転軸２に取り付け固定されて、該第１回転軸２すなわち取付部材Ｓと共に回転する。該第１歯車４には、所定回転角だけ歯４ａが設けられている。従って、本第１歯車４はセクトルギヤであってもよい。
【００１３】
上記第２歯車５は、上記第２回転軸６に取り付け固定されると共に、上記第１歯車４の歯４ａと噛み合うようになっている。
【００１４】
上記第２回転軸６は、上記第１回転軸２と平行に、上記支持部材１の支持板１ｂに回転自在に軸着されている。上記摩擦ディスク７は複数枚から成り、その一部は上記第２回転軸６に固着され、第２回転軸６と共に回転するようになっている。摩擦ディスク７の他の一部は、上記支持部材１の支持板１ｂと一体となっていて、回転しないようになっている。本実施例の摩擦ディスク７は皿バネ状に形成されているので、適当な締め付け具７ａにより圧接することにより、摩擦トルクを生じるようになっている。
【００１５】
上記実施例のチルトヒンジは以上のように構成されているので、上記取付部材Ｓを、図１において、位置Ｐの回転角から位置Ｑの回転角まで回転させると、上記第１歯車４の歯４ａは第２歯車５に噛み合わないので、上記トーションスプリング３の付勢力しか働かない。従って、位置Ｐと位置Ｑの間は、力を抜くと位置Ｐに戻ることになる。
【００１６】
次に、上記取付部材Ｓを、図１において、位置Ｑの回転角から位置Ｒの回転角まで回転させると、図３に示すように、上記第１歯車４の歯４ａが第２歯車５に噛み合う。第２歯車５は第２回転軸６を介して摩擦ディスク７に連動しており、該摩擦ディスク７には摩擦トルクが働いているので、上記取付部材Ｓは、この摩擦トルク力によりその回転角の位置を保持する。なお、上記トーションスプリング３の付勢力は上記摩擦トルク力より小さく設定されている。
【００１７】
上記トーションスプリングは省略して、上記位置Ｐと位置Ｑの間はフリーの状態にしてもよい。
【産業上の利用可能性】
【００１８】
本発明は、液晶モニタに限らず、鏡など所定の角だけ傾斜させたい回転部材のヒンジに利用できる。
【図面の簡単な説明】
【００１９】
【図１】本発明のチルトヒンジを使用した液晶表示装置の説明図である。
【図２】本発明のチルトヒンジの構成説明図である。
【図３】図２のチルトヒンジの作用説明図である。
【符号の説明】
【００２０】
１    支持部材
２    第１回転軸
３    トーションスプリング
４    第１歯車
５    第２歯車
６    第２回転軸
７    摩擦ディスク
Ｈ    チルトヒンジ
Ｍ    液晶モニタ
Ｓ    装置本体
【図１】
2005273739.tif 000003
【図２】
2005273739.tif 000004
【図３】
2005273739.tif 000005